(57)【要約】【課題】プログラムの改造において、修正するプログラム部分以外への影響も考慮し、プログラムの全機能の動作試験を行う必要を除去し、プログラムの改造が容易で、修正するプログラム部分以外の動作試験を不要としたＣＣＴＶシステムを提供する。【解決手段】監視局は、監視員が前記機能を操作するための監視端末と、前記機能を操作するためのプログラムを管理及び保存する管理サーバとを備え、前記管理サーバは、システム管理機能、連動操作機能、ライブ映像操作機能、録画映像操作機能、モニタ表示操作機能、若しくは障害表示操作機能等のプログラムの管理若しくは保守を、操作機能メニュー毎に実行する。【選択図】図３
2011055423.tif 000002
【特許請求の範囲】
【請求項１】
システム管理機能、連動操作機能、ライブ映像操作機能、録画映像操作機能、モニタ表示操作機能、若しくは障害表示操作機能の少なくとも１つの機能を備えた監視局を有する監視用ＣＣＴＶシステムにおいて、前記監視局は、監視員が前記機能を操作するための監視端末と、前記機能を操作するためのプログラムを管理及び保存する管理サーバとを備え、前記管理サーバは、前記プログラムの管理若しくは保守を、操作機能メニュー毎に実行することを特徴とする監視用ＣＣＴＶシステム。
【発明の詳細な説明】
【技術分野】
【０００１】
本発明は、ＣＣＴＶシステムに関わり、特に監視用ＣＣＴＶシステムの操作メニューに関するものである。
【背景技術】
【０００２】
図１によって、従来の監視用ＣＣＴＶ（ Closed Circuit Tele Vision ）システムの一例を説明する。図１は、従来の監視用ＣＣＴＶシステムの構成を示すブロック図である。１は監視端末、２は管理サーバ、３は大画面表示装置、３０１〜３０８は大画面表示装置３の表示部を構成するディスプレイ、３０９はディスプレイ３０１〜３０８を載せる台、４は制御装置、５はネットワーク網、６１，６２〜６ｎはそれぞれ監視カメラ、７は監視局である（ｎは自然数）。監視局７は、監視端末１、管理サーバ２、大画面表示装置３、及び、制御装置４で構成されている。なお、どの監視カメラ６１，６２〜６ｎと限らず、一般的に監視カメラを指す場合には、監視カメラ６と称する。
【０００３】
大画面表示装置３の表示部を構成するディスプレイ３０１〜３０８は、それぞれ、例えば、５５型のＰＤＰ（ Plasma Display Panel ）、ＦＥＤ（ Field Emission Display ）、ＥＬディスプレイ（ Electro Luminescence Display ）、液晶プロジェクタ、等のＦＰＤ（ Flat Panel Display ）である。
また、監視端末１の表示部の画面サイズは、通常、ディスプレイ３０１〜３０８の画面サイズと同じか、それより小さい。監視端末１には、図示しない入出力装置が接続され、監視員は、該入出力装置を操作して監視端末１を操作することによって、監視局７を動作させて監視を行う。
また、ネットワーク網５は、例えば、専用回線であり、例えば、ＬＡＮ（ Local Area Network ）である。
【０００４】
図１において、監視カメラ６１，６２〜６ｎは、それぞれ、指定された視野角で映像を取得して、映像データとして、ネットワーク網５を介して、監視端末１管理サーバ２、及び、制御装置４に送信する。
監視局７の監視員は、ＧＵＩ（ Graphical User Interface ）操作等で監視端末１を操作することによって、所望の監視カメラ６を選択し、選択した監視カメラ６の映像を表示部に表示する。監視端末１の操作は、その表示部にＷｅｂブラウザ形式で表示した表示画面で、監視員がＧＵＩ操作等で実行する。
【０００５】
このとき、監視端末１からの操作内容は、ネットワーク５を介して、管理サーバ２に送信され、管理サーバが、操作内容の登録または更新と共に、監視カメラ６に制御信号を、ネットワーク網５を介して送信して操作する。
なお、図１は、監視局７内の機器（監視端末１、管理サーバ２、及び、制御装置４）の結合と監視カメラ６との結合を、同じネットワーク網５で実施している。しかし、監視局７と監視カメラ６とを結合するネットワーク網５とは別に、監視局７内の監視端末１、管理サーバ２、大画面表示装置３、及び、制御装置４間の結合を、ＬＡＮ（ Local Area Network ）若しくは無線ＬＡＮ等の構内ネットワーク、又は、伝送ケーブル等の伝送路で、別に結合してもよい。
【０００６】
図１において、監視員は、監視端末１で、監視カメラ６の選択を切替えるか、又は、同じ監視カメラ６であっても、プリセットポジションを切替える若しくはＧＵＩ操作等で視野角を変更して、表示部に所望の映像を表示する。
【０００７】
大画面表示装置３は、主に、複数の監視員が、同じ映像を見て対策を検討するような時に使用するが、監視員が監視端末１の表示では、小さすぎて判断がつけにくい時に、大画面表示装置に映像を拡大して表示する。
【０００８】
図２は、本発明の監視端末の表示部に表示される表示画面の一実施例を説明する図である。図２は、大画面表示装置の操作に対応する操作画面の表示をＷｅｂブラウザ形式で表示した図である。２０は表示画面、２１は監視カメラ６から受信した映像の表示部、２２は操作部、２３はプリセットポジションを指定するためのプリセットボタン群、２４は監視領域を示すマップ、２５は選択された監視カメラ６のパン角とチルト角を制御するボタン群、２６は選択された監視カメラ６のズーム倍率を制御するボタン群、２７は大画面表示装置３の操作に切替えるための切替ボタン、２８は操作を取り消すためのキャンセルボタン、２９は操作を止めるための終了ボタンである。なお、終了ボタン２９を押すことにより、初期画面（図示しない）に戻る。
【０００９】
図２の表示画面において、マップ２４は、大画面表示装置３のディスプレイ３０１〜３０８に表示するための映像ソース（カメラ及びプリセット位置）を選択するためのマップである。監視員は、監視領域を示すマップ２４内に図形表示されているカメラの中から、所望のカメラを選択する。更に、プリセットボタン群２３の所望のボタンを選択して、映像を表示部２１に表示させてそれぞれのカメラ６から送信される映像を見る。
このとき、監視員は監視のために、表示された映像を見て、視野角の調整が必要ならば、操作部２２内に表示されているボタン群２５を制御してパン角又はチルト角、若しくはその移動（角度変更）速度を変更し、また、ボタン群２６を操作してズーム倍率を変更する。また、選択していたカメラ６では、所望の映像が得られないと判断したときは、マップ２４を見て切替ボタン２７を操作して別のカメラ６を選択する。
【００１０】
また、監視員は、大画面表示装置３に、現在表示している映像と別の映像を表示しようとした場合には、キャンセルボタン２８を押すことによって、大画面表示装置３の操作に切替えることができる。
【先行技術文献】
【特許文献】
【００１１】
【特許文献１】特開２００３−２４８５３９号公報
【発明の概要】
【発明が解決しようとする課題】
【００１２】
上述した操作を監視員が操作するためには、従来の監視用ＣＣＴＶシステム等のＣＣＴＶシステムの監視端末において、制御装置の操作メニューに関わるプログラムが無ければならない。
このような制御装置の操作メニューに関わるプログラムは、システムの拡張や変更等に応じて、監視員が、操作し易いように、改造が必要となってくる。
【００１３】
特許文献１には、メニュー画面からユーザが所望のメニューを選択し、そのメニューに対応した画面の表示が起動される技術に対して、予めメニュー画面表示プログラムを作成する技術の記載がある。しかし、複数の管理テーブルが必要な構成であり、プログラム及び当該プログラムの改造についての具体的な記載はない。
従来は、プログラムの改造においては、同一フォルダ内に存在する任意のプログラムファイルの改造を行い、その同一フォルダ内の全ファイルを製品単位として管理、保守しなければならなかった。
また、プログラムの改造において、修正するプログラム部分以外への影響も考慮し、プログラムの全機能の動作試験を行う必要があった。
本発明の目的は、上記の問題に鑑み、プログラムの改造が容易で、修正するプログラム部分以外の動作試験を不要としたＣＣＴＶシステムを提供することにある。
【課題を解決するための手段】
【００１４】
上記の課題を解決するために、本発明の監視用ＣＣＴＶシステムは、システム管理機能、連動操作機能、ライブ映像操作機能、録画映像操作機能、モニタ表示操作機能、若しくは障害表示操作機能の少なくとも１つの機能を備えた監視局を有する監視用ＣＣＴＶシステムにおいて、前記監視局は、監視員が前記機能を操作するための監視端末と、前記機能を操作するためのプログラムを管理及び保存する管理サーバとを備え、前記管理サーバは、前記プログラムの管理若しくは保守を、操作機能メニュー毎に実行するものである。
【００１５】
好ましくは、上記発明の監視用ＣＣＴＶシステムの前記管理サーバが操作機能メニュー毎に実行する前記プログラムの管理若しくは保守は、前記操作機能毎のプログラムを前記監視端末に表示し、該表示されたプログラムを関心の操作によって削除、追加、若しくは変更することによって実行するものである。
をの管理及び保守を行う、管理サーバ内のプログラムをフォルダ単位若しくはファイル単位の入替で実現できることを特徴とする監視用ＣＣＴＶシステムにおける操作メニュー管理方法。
【発明の効果】
【００１６】
本発明は、操作メニュー用のプログラム格納フォルダ、操作機能メニュー単位のプログラム格納フォルダを持ち、機能単位の管理、保守（削除、追加、変更）を容易にすることにある。
本発明によれば、操作メニューの管理、保守時の削除、追加、変更操作が容易に行え、追加、変更時でも、他の機能に影響を及ぼさない。
【図面の簡単な説明】
【００１７】
【図１】従来のＣＣＴＶシステムの構成を示すブロック図である。
【図２】大画面表示装置の操作に対応する操作画面の表示をＷｅｂブラウザ形式で表示した図である。
【図３】監視端末に表示された、本発明の操作メニューの一実施例を示す図である。
【図４】本発明の一実施例を示す操作メインメニュープログラムを示す図である。
【発明を実施するための形態】
【００１８】
以下、添付図面を参照しながら本発明の実施形態を詳細に説明する。なお、各図の説明において、共通な機能を有する構成要素には同一の参照番号を付し、できるだけ説明の重複を避ける。
【００１９】
図３によって、本発明の一実施例の操作メニューを説明する。図３は、監視端末１に表示された、操作メニューの一実施例を示す図である。３０は表示画面、２１’は映像表示部、２２’は操作部、３１−１は操作メインメニュー、３１−２は操作機能メニュー、３２はメニュー選択ボタン、３２−１はシステム管理操作（ｍｅｎｕ１）ボタン、３２−２は連動操作（ｍｅｎｕ２）ボタン、３２−３はライブ映像操作（ｍｅｎｕ３）ボタン、３２−４は録画映像操作（ｍｅｎｕ４）ボタン、３２−５はモニタ表示操作（ｍｅｎｕ５）ボタン、３２−６は障害表示操作（ｍｅｎｕ６）ボタン、３３は操作メニュー機能単位メニュー表示部、３４は履歴表示部である。
図３の表示画面３０は、上段が操作メインメニュー３１−１で、下段が操作メニュー３−２を示す。
【００２０】
図３において、ｍｅｎｕ１ボタン３２−１、ｍｅｎｕ２ボタン３２−２、ｍｅｎｕ３ボタン３２−３、ｍｅｎｕ４ボタン３２−４、ｍｅｎｕ５ボタン３２−５、及びｍｅｎｕ６ボタン３２−６は、メニュー選択ボタン３２の１つであり、現在は、ライブ映像操作（ｍｅｎｕ３）ボタン３２−３が選択され、操作メニュー機能単位メニュー表示部３３には、ライブ映像操作メニューを操作するためのボタン１〜１０が表示されている。
操作メニュー機能単位メニュー表示部３３内のこれらのボタン１〜１０から選択されたボタンが押下されることによって（即ち、監視員によって、操作メインメニュー３１−１のメニュー選択ボタン３２のいずれかが押下されると）、押下されたボタンの種類に応じて、操作メニュー機能単位メニュー表示部に表示される。
【００２１】
図４は、本発明の一実施例を示す操作メインメニュープログラムを示す図である。
図４において、操作メインメニュープログラムは、管理サーバ２の「ｗｅｂＲｏｏｔ」フォルダに格納される（図１参照）。「ｗｅｂＲｏｏｔ」フォルダの下層のフォルダに、操作メインメニュー用プログラムフォルダ、メニュー１用プログラム格納フォルダ、メニュー２用プログラム格納フォルダ、メニュー３用プログラム格納フォルダ、メニュー４用プログラム格納フォルダ、メニュー５用プログラム格納フォルダ、メニュー６用プログラム格納フォルダが設けられる。
【００２２】
メニュー１用プログラム格納フォルダの下層のフォルダに「ＳｃｒｉｐｔＦｉｌｅ」メニュー１用のスクリプト定義ファイル格納フォルダが設けられる。以下同様に、メニュー２用プログラム格納フォルダの下層のフォルダに「ＳｃｒｉｐｔＦｉｌｅ」メニュー２用のスクリプト定義ファイル格納フォルダ、メニュー３用プログラム格納フォルダの下層のフォルダに「ＳｃｒｉｐｔＦｉｌｅ」メニュー３用のスクリプト定義ファイル格納フォルダ、メニュー４用プログラム格納フォルダの下層のフォルダに「ＳｃｒｉｐｔＦｉｌｅ」メニュー４用のスクリプト定義ファイル格納フォルダ、メニュー５用プログラム格納フォルダの下層のフォルダに「ＳｃｒｉｐｔＦｉｌｅ」メニュー５用のスクリプト定義ファイル格納フォルダ、メニュー６用プログラム格納フォルダの下層のフォルダに「ＳｃｒｉｐｔＦｉｌｅ」メニュー６用のスクリプト定義ファイル格納フォルダが設けられる。
【００２３】
図３において、監視員によって、操作メインメニュー３１−１のメニュー選択ボタン３２のいずれかが押下されると、押下されたボタンの種類に応じて、操作メニュー機能単位メニュー表示部に表示される、と同時に、図４に示した操作メインメニュープログラムにおける管理や保守（削除、追加、変更）されるべきフォルダの位置が移動する。
例えば、図３において、システム管理操作ボタン３２−１が押下されると、図４では、フォルダの位置が「Ｂｉｎ」（操作メインメニュー）から、メニュー１用プログラム格納フォルダに移動する。同様に、連動操作ボタン３２−２が押下されるとメニュー２用プログラム格納フォルダに移動し、ライブ映像操作ボタン３２−３が押下されるとメニュー３用プログラム格納フォルダに移動し、録画映像操作ボタン３２−４が押下されるとメニュー４用プログラム格納フォルダに移動し、モニタ表示操作ボタン３２−５が押下されるとメニュー５用プログラム格納フォルダに移動し、障害表示操作ボタン３６−２が押下されるとメニュー６用プログラム格納フォルダに移動する。
【００２４】
それぞれ移動後は、管理や保守（削除、追加、変更）の種類によって、以下の処理が、図４において実行される。
【００２５】
（１）削除
メニューを削除する場合には、「ＷｅｂＲｏｏｔ」フォルダ内から該当する「ｍｅｎｕ  ｋ」フォルダを削除する。
例えば、メニュー“システム管理操作”を削除する場合、「ＷｅｂＲｏｏｔ」フォルダ内の「ｍｅｎｕ  １」を削除する。
【００２６】
（２）追加
メニューを追加する場合には、「ＷｅｂＲｏｏｔ」フォルダ内から該当する「ｍｅｎｕ  ｋ」フォルダを追加する。
例えば、メニューとして“機能７”を追加する場合には、「ＷｅｂＲｏｏｔ」フォルダ内に「ｍｅｎｕ  ７」を追加する。
【００２７】
（３）変更
メニューを変更する場合には、「ＷｅｂＲｏｏｔ」フォルダ内から該当する「ｍｅｎｕ  ｋ」フォルダを入替える。
例えば、メニュー“連動操作”を入替える場合、「ＷｅｂＲｏｏｔ」フォルダ内の「ｍｅｎｕ  ２」を入替える。
即ち、各メニューの表示内容を変更する場合には、ｍｅｎｕｋ．ｉｎｃファイルを入替え、各メニューの処理内容を変更する場合には、ｍｅｎｕｋ．ｊｓファイルを入替える。
例えば、図３の操作部２２’内の“ＩＮＩＴ”ボタン、“ライト”ボタン等の配置、及び、文字列などを変更する場合には、ｍｅｎｕｋ．ｉｎｃファイルを修正し、修正したファイルに入替える。
また、例えば、図３の操作部２２’内の“ＩＮＩＴ”ボタン、“ライト”ボタン等が押下された場合の処理動作を変更する場合には、ｍｅｎｕｋ．ｊｓファイルを修正し、修正したファイルに入替える。
【００２８】
その結果、プログラムの改造において、修正するプログラム部分以外への影響を考慮せず、従ってプログラムの全機能の動作試験が必要なくなった。
さらにこの結果、プログラムの改造が容易で、修正するプログラム部分以外の動作試験を不要としたＣＣＴＶシステムが可能となった。
【００２９】
以上、本発明を実施例によって詳細に説明した。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
【符号の説明】
【００３０】
１：監視端末、  ２：管理サーバ、  ３：大画面表示装置、  ４：制御装置、  ５：ネットワーク網、  ６，６１，６２〜６ｎ：監視カメラ、  ７：監視局、  ２０：表示画面、  ２１，２１’：映像表示部、  ２２，２２’：操作部、  ２３：プリセットボタン群、  ２４：マップ、  ２５：パン角とチルト角を制御するボタン群、  ２６：ズーム倍率を制御するボタン群、  ２７：切替ボタン、  ２８：キャンセルボタン、  ２９：終了ボタン、  ３０：表示画面、  ３１−１：操作メインメニュー、  ３１−２：操作機能メニュー、  ３２：メニュー選択ボタン、  ３２−１：システム管理操作（ｍｅｎｕ１）ボタン、  ３２−２：連動操作（ｍｅｎｕ２）ボタン、  ３２−３：ライブ映像操作（ｍｅｎｕ３）ボタン、  ３２−４：録画映像操作（ｍｅｎｕ４）ボタン、  ３２−５：モニタ表示操作（ｍｅｎｕ５）ボタン、  ３２−６：障害表示操作（ｍｅｎｕ６）ボタン、  ３３：操作メニュー機能単位メニュー表示部、  ３４：履歴表示部、  ３０１〜３０８：ディスプレイ、  ３０９：台。
【図１】
2011055423.tif 000003
【図２】
2011055423.tif 000004
【図３】
2011055423.tif 000005
【図４】
2011055423.tif 000006